(57)【特許請求の範囲】
【請求項１】
左右一対の縦枠部を形成した戸当りと、該戸当りに昇降自在に嵌入される扉体とを備えた制水扉を壁体に取り付ける取り付け構造であって、
戸当りに予め剥離材を貼着し、あるいは塗布する構成とし、該戸当りを壁体に取り付けるに際し、前記剥離材と壁体との間に基礎を形成することを特徴とする制水扉の取り付け構造。
【請求項２】
壁体側に、基礎内に埋設されるように雌ねじ部を設け、
ボルトを該雌ねじ部に螺合することにより戸当りを壁体に取り付ける構成としたことを特徴とする請求項１に記載の制水扉の取り付け構造。
【発明の詳細な説明】
【０００１】
【発明の属する技術分野】
本発明は、水路等に設置される制水扉の取り付け構造に関するものである。
【０００２】
【従来の技術】
上下水道の水路や灌漑用水路などに流路を開放或いは閉止するために設置される制水扉は、一般に図４および図５に示すように、縦溝３２，３２を有する一対の縦枠部３１，３１を形成し、双方の縦溝３２，３２が対向するように構成された戸当り３３と、この戸当り３３に前記縦溝３２，３２をガイドとして昇降自在に嵌入される扉体３４と、を備えた構造からなる。戸当り３３および扉体３４は鋳鉄（ＦＣ２００）製である。左右の縦枠部３１は上下の横枠部３５により連結され、左右の縦枠部３１と上下の横枠部３５に囲まれた部位が水を通過させる開口部３３ａとなる。また、図６および図７も参照して、縦枠部３１は、水路の水流方向に沿って幅広な面を形成する側面枠部３１ａと、水路の幅方向に沿って幅広な面を形成する正面枠部３１ｂを形成している。
【０００３】
正面枠部３１ｂの前面および上下の横枠部３５の前面には戸当り止水板３６が固着され、この戸当り止水板３６に対応する扉体３４の上下左右の側縁後面には扉体止水板３７が固着される。そして、戸当り３３側においては、側面枠部３１ａの下部側前面に、押え板４３を介して、傾斜面を有する楔型固着具３８が取り付けられ、扉体３４側においては、その両側縁の前面における前記楔型固着具３８に対応する位置に楔型部材３９が取り付けられる。この楔型部材３９と楔型固着具３８とは、扉体３４を下降させたとき相互の傾斜面が摺接し、扉体３４を後側に押し遣る。そして、扉体３４が完全に閉止したとき、扉体３４を戸当り３３に押さえ付け、前記戸当り止水板３６と扉体止水板３７とが密着して水密性を保持する。
【０００４】
前記戸当り３３は、図７に示すように、正面枠部３１ｂの後面に注入、養生させるモルタルやコンクリート等の基礎Ｇに一体的に固設され、且つアンカーボルト４０およびナット４４で締結されることにより、水路を構成する壁体Ｆに対しての取り付けがなされる。アンカーボルト４０は補助筋４１を介して壁体Ｆの鉄筋４２に固定されるものである。一般に、コンクリート等からなる壁体Ｆは直角度等においてその精度が悪く、例えばボルト締結等で戸当り３３を壁体Ｆに直接取り付けると、開閉機（図示せず）との芯出しが狂い、扉体３４が昇降しなくなってしまう。そのため、戸当り３３の垂直度等の位置調整を行った後に基礎Ｇを介在させて壁体Ｆに固設するという構造になるわけである。しかし、当該構造では、戸当り３３がモルタル等からなる基礎Ｇに一体的に固設されることから、制水扉が老朽化して交換の必要性が生じた場合には、基礎Ｇを取り壊して戸当り３３を外すという作業を要することとなり、交換工事に多大の労力と時間がかかるという問題がある。
【０００５】
この問題に対し、本出願人は、特開平８−２６０４４６号公報において、フレーム据付用基体を予め基礎に締着し、戸当りをこのフレーム据付用基体に据え付ける構造を提案した。当該構造によれば、フレーム据付用基体を基礎に固設したまま、つまり基礎を取り壊すことなく、戸当りをフレーム据付用基体から外すことで制水扉の交換が行えることとなり、低コストおよび短時間での交換工事が可能となる。
【０００６】
【発明が解決しようとする課題】
しかし、前記特開平８−２６０４４６号公報に開示した構造によれば、次のような問題がある。初めの制水扉の取り付け工事は、先ず、フレーム据付用基体を工事現場に搬入し、位置決め調整後に壁体との間にモルタル等の基礎を注入、養生させ、基礎が養生し終わってから、制水扉を工事現場に搬入し、戸当りをフレーム据付用基体に取り付けるという態様になる。しかし、モルタル等の養生時間は長時間（通常、数日間）を要するため、フレーム据付用基体の取り付け後、数日を隔てて改めて制水扉を取り付けるという工事形態は、作業効率の点において問題である。
【０００７】
本発明は、このような問題を解決するために創作されたものであり、作業効率が向上し得る制水扉の取り付け構造を提供することを目的としている。
【０００８】
【課題を解決するための手段】
本発明は前記課題を解決するため、左右一対の縦枠部を形成した戸当りと、該戸当りに昇降自在に嵌入される扉体とを備えた制水扉を壁体に取り付ける取り付け構造であって、戸当りに予め剥離材を貼着し、あるいは塗布する構成とし、該戸当りを壁体に取り付けるに際し、前記剥離材と壁体との間に基礎を形成する構成とした。
【０００９】
また、壁体側に、基礎内に埋設されるように雌ねじ部を設け、ボルトを該雌ねじ部に螺合することにより戸当りを壁体に取り付ける構成とすれば、制水扉を壁体から取り外す際、小さなスペース内での取り外しが可能となる。
【００１０】
【発明の実施の形態】
本発明の実施の形態を図面を参照して説明する。図１は本発明に係る制水扉の取り付け構造を示す平断面図、図２は同取り付け構造の変形例を示す平断面図、図３は同取り付け構造の他の変形例を示す平断面図である。
【００１１】
図１において、制水扉Ａは、縦溝２を有する左右一対の縦枠部１を形成し、双方の縦溝２が対向するように構成された戸当り３と、この戸当り３に前記縦溝２をガイドとして昇降自在に嵌入される扉体４と、を備えている。戸当り３において、左右の縦枠部１は上下の横枠部（図示せず）により連結される。また、戸当り３の下部には水を通過させる開口部（図示せず）が形成される。
【００１２】
戸当り３の前面および上下の横枠部の前面には戸当り止水板１１が固着され、この戸当り止水板１１に対応する扉体４の上下左右の側縁後面には扉体止水板１２が固着される。戸当り止水板１１はステンレス鋼材などからなり、扉体止水板１２はステンレス鋼材より軟質なりん青銅材などが好ましい。そして、戸当り３側においては、下部側前面に、押え板１３を介して傾斜面を有する楔型固着具１４が取り付けられ、扉体４側においては、その両側縁の前面における前記楔型固着具１４に対応する位置に楔型部材１５が取り付けられる。この楔型部材１５と楔型固着具１４とは、扉体４を下降させたとき相互の傾斜面が摺接し、扉体４を後側に押し遣る。そして、扉体４が完全に閉止したとき、扉体４を戸当り３に押さえ付け、前記戸当り止水板１１と扉体止水板１２とが密着して水密性を保持するようになっている。以上の構成は従来技術で説明した構成と同一である。
【００１３】
戸当り３の後面には予め剥離材５が貼着、あるいは塗布されており、戸当り３（制水扉Ａ）を壁体Ｆに取り付ける場合には、次のような取り付け構造となる。例えば、アンカーボルト６が補助筋７を介して壁体Ｆの鉄筋８に固定されており、また、アンカーボルト６のねじ軸の中程には位置決め用のナット９が螺合されていて、剥離材５の後面をこのナット９に押し当てながら戸当り３の正確な位置決め（芯だし等）を行ったうえで、剥離材５の後面と壁体Ｆとの間にモルタル等を注入、養生させて基礎Ｇを形成する。これにより、戸当り３が基礎Ｇを介し壁体Ｆに固設される。
【００１４】
なお、符号３ａ，５ａはそれぞれ戸当り３、剥離材５に穿設されたアンカーボルト６用の貫通孔を示す。戸当り３は前記したように基礎Ｇを介して壁体Ｆに固設されるとともに、ナット１０をアンカーボルト６に螺合することにより、壁体Ｆに締着される。
【００１５】
剥離材５は、戸当り３に貼着する場合においては、樹脂あるいは金属からなる薄板形状のものがよく、将来的に無交換とするべく耐食性に優れた材質（金属板の場合には例えばＳＵＳ３０４）とすることが望ましい。戸当り３（通常、鋳鉄製）に対する剥離材５の貼着強度（戸当り３と剥離材５の界面の密着強度）は、仮止め程度の強度、好ましくは人が手で容易に戸当り３から剥がせる程度の強度が良く、少なくとも剥離材５と基礎Ｇの界面の密着強度よりも小さくする必要がある。これにより、制水扉Ａを壁体Ｆから外す際には、剥離材５は基礎Ｇ側に固設されたままであり、戸当り３が剥離材５から離れることとなる。なお、貼着にはエポキシ系樹脂の接着剤や両面テープ等が使用される。
【００１６】
また、樹脂材料を塗布して剥離材５を構成する場合においては、エポキシ系樹脂等を戸当り３の後面に薄く層状に塗布し、硬化させて剥離層を形成させる。この場合も、戸当り３と剥離材５の界面の密着強度は、剥離材５と基礎Ｇの界面の密着強度よりも小さくする必要があり、仮止め程度の強度、好ましくは人が手で戸当り３から剥がせる程度の強度が良い。これにより、制水扉Ａを壁体Ｆから外す際には、剥離材５は基礎Ｇ側に固設されたまま戸当り３が剥離材５から離れることとなる。
【００１７】
以上のように、戸当り３に予め剥離材５を貼着し、あるいは塗布する構成として、戸当り３を壁体Ｆに取り付けるに際し、剥離材５と壁体Ｆとの間に基礎を形成する取り付け構造とすれば、初めの制水扉Ａを壁体Ｆに取り付ける際には、現場に制水扉Ａを搬入し、位置決め調整後に剥離材５の後面にモルタル等を注入、養生させるだけで済み、従来のように、フレーム据付用基体の取り付け後、数日を隔てて改めて制水扉を取り付けるという工事形態に比べ、作業効率が向上することになる。
【００１８】
また、この初めに取り付けた制水扉Ａが老朽化や損傷のため交換の必要性が生じた場合には、ナット１０を外して戸当り３を手前側に引くと、前記したように剥離材５は基礎Ｇ側に固設されたまま、戸当り３が剥離材５から離れ制水扉Ａの取り外しが可能となる。そして、新規な制水扉Ａ（これ以降の制水扉の戸当りには剥離材を設ける必要はない）を取り付ける際には、剥離材５は既に正確な位置決め調整がなされたうえで基礎Ｇに固設されているため、制水扉Ａの位置調整は極めて容易なものとなる。以上により、基礎Ｇを取り壊すことなく簡易な制水扉の交換工事が実現される。
【００１９】
次いで、図２を基に本発明の変形例を説明する。本例において、戸当り３に剥離材５を予め貼着し、あるいは塗布し、剥離材５と壁体Ｆの間に基礎Ｇを形成する構造は図１の場合と同様である。本例は、壁体Ｆ側に、基礎Ｇ内に埋設されるように雌ねじ部１６を設け、ボルト１７を雌ねじ部１６に螺合することにより戸当り３を壁体Ｆに取り付ける構成を特徴とする。
【００２０】
壁体Ｆの鉄筋８に固設された補助筋７にはナット付きの接合筋１８が固設されている。接合筋１８の先端部にはナット部１９（雌ねじ部１６）が形成されており、このナット部１９が壁体Ｆから制水扉Ａの取り付け側に向けて突出するようにして接合筋１８は補助筋７に固設される。当該構造では、初めの制水扉Ａを取り付けるに際し、剥離材５の後面をナット部１９の前端面に押し当てつつ、制水扉Ａの位置決め調整を行い、剥離材５と壁体Ｆとの間にモルタル等を注入、養生して基礎Ｇを形成する。これにより、ナット部１９は基礎Ｇに埋設される。
【００２１】
戸当り３，剥離材５には図１の場合と同様、それぞれ貫通孔３ａ，５ａが穿設されており、ボルト１７（押しボルト）をこの貫通孔３ａ，５ａに通し、ナット部１９に螺合することにより戸当り３を壁体Ｆに締着する。本構造によれば、制水扉Ａを交換する場合、ボルト１７を外せば、制水扉Ａを前後方向（図２における上下方向）に大きく移動させることなく剥離材５から取り外せるので（図１の場合においては、アンカーボルト６の突出分、制水扉Ａを前後方向に移動させなければならない）、小さなスペース内での取り外しが可能となり、工事現場が狭隘な空間の場合には作業性が向上し、有効である。
【００２２】
なお、前記雌ねじ部１６としては、図３に示すように、ターンバックル２１を利用しても良い。この場合、前記補助筋７に固設した接合筋２０の先端にターンバックル２１の一側を螺合させておく。そして、基礎Ｇの形成後、ボルト１７をターンバックル２１の他側に螺合する。
【００２３】
以上、本発明について好適な実施形態を説明したが、本発明は図面に記載した内容に限られず、各構成要素の形状や取付位置等については、その趣旨を逸脱しない範囲で適宜設計変更が可能である。
【００２４】
【発明の効果】
本発明によれば、初めの制水扉を壁体に取り付ける際には、現場に制水扉を搬入し、位置決め調整後に剥離材の後面にモルタル等を注入、養生させるだけで済み、従来のように、フレーム据付用基体の取り付け後、数日を隔てて改めて制水扉を取り付けるという工事形態に比べ、作業効率が向上することになる。
【図面の簡単な説明】
【図１】本発明に係る制水扉の取り付け構造を示す平断面図である。
【図２】本発明に係る制水扉の取り付け構造の変形例を示す平断面図である。
【図３】本発明に係る制水扉の取り付け構造の他の変形例を示す平断面図である。
【図４】一般的な制水扉の構造を示す正面図である。
【図５】一般的な制水扉の構造を示す縦断側面図である。
【図６】従来の制水扉の取り付け構造を示す外観斜視図である。
【図７】従来の制水扉の取り付け構造を示す平断面図である。
【符号の説明】
Ａ      制水扉
Ｆ      壁体
Ｇ      基礎
３      戸当り
４      扉体
５      剥離材
１６      雌ねじ部
１７      ボルト
【図１】
0003844278.tif 000002
【図２】
0003844278.tif 000003
【図３】
0003844278.tif 000004
【図４】
0003844278.tif 000005
【図５】
0003844278.tif 000006
【図６】
0003844278.tif 000007
【図７】
0003844278.tif 000008